(57)【要約】      （修正有）【課題】電源アダプターの組立時には、連接端子を対応する嵌着端子内に挿入することにより、アダプターヘッドとアダプター本体を固定する他、栓刃と回路板間の電気的接続を確実にする電源アダプターを提供する。【解決手段】電源アダプターは、アダプター本体及びアダプターヘッドを備える。アダプター本体は、外殻と回路板と連接端子とを備え、外殻上には窪み形状の挿入空間を形成する。アダプターヘッドは挿入空間内に配置し、アダプター外殻と装着板と栓刃と嵌着端子とを備える。アダプター外殻には栓刃挿入口とアダプターヘッド孔を備え、栓刃は装着板上に連接し、連接端子はアダプターヘッド孔を通過し、嵌着端子と電気的に接続する。【選択図】図２
0003165934.tif 000002
【実用新案登録請求の範囲】
【請求項１】
外殻と、複数の電子部品を装着した回路板と、回路板に電気的に接続し、しかも一端がアダプター本体に延伸する連接端子とを備え、外殻上には窪み形状の挿入空間を形成するアダプター本体と、
分離可能状態で挿入空間内に配置し、それは、アダプター外殻と、アダプター外殻内に固着する装着板と、栓刃と、栓刃に電気的に接続する嵌着端子とを備え、アダプター外殻上には栓刃挿入口とアダプターヘッド孔を備え、栓刃の一端は回転可能状態で装着板上に連接し、他の一端は栓刃挿入口内におさめ、回転可能状態で栓刃挿入口から突出し、連接端子はアダプターヘッド孔を通過して嵌着端子と電気的に接続するアダプターヘッドとを備えることを特徴とする電源アダプター。
【請求項２】
回路板上には固定板を固着し、固定板上には二つの貫通孔を穿設し、前記連接端子は円柱状部材とし、後端に近い箇所に嵌合リングを備え、嵌合リングは貫通孔上に嵌合固定され、連接端子の後端は固定板の外側に突出し、回路板上には二つの直立ハンダ片を配置し、前記直立ハンダ片の一端は連接端子の後端にハンダ付けし、他の一端は回路板上にハンダ付けすることを特徴とする請求項１に記載の電源アダプター。
【請求項３】
前記嵌着端子は、連接片と、連接片の両側エッジからそれぞれ上方向に延伸形成される延伸部と、延伸部の一方側エッジから外側に突出する弾性アームとを備え、前記延伸部を繞設して嵌着部を形成し、嵌着部には連接端子を挿設し、弾性アームの一端と栓刃とは弾力性をもって押圧することを特徴とする請求項１に記載の電源アダプター。
【請求項４】
前記嵌着部の一端には弾性挟持部を形成することを特徴とする請求項３に記載の電源アダプター。
【考案の詳細な説明】
【技術分野】
【０００１】
本考案は特に、アダプター本体とアダプターヘッドが良好に電気的に接続される電源アダプターに関する。
【背景技術】
【０００２】
公知の電源アダプターは、電源アダプター本体と変換プラグによって構成され、電源アダプター本体は、外殻、回路板、コンセントによって構成される。外殻は、上蓋面と下蓋面を含み、下蓋面には方形の凹溝を備え、方形の凹溝の一端には挿入空間を備え、挿入空間内部には凹面を備える。変換プラグには、栓刃、ボルト、プラグを含み、ネジの表面には突出面を備え、ボルト上の突出面と挿入空間内の凹面とを組み合わせる。ボルトを挿入空間に挿入する時、ボルト上の突出面が挿入空間内の凹面に引っ掛かると音がして、変換プラグの装着が既に最後の位置まで来たことを知らせる。また、組み合わせた後、プラグと電源アダプター本体を接続し、金属連接部材で栓刃とプラグを接続することにより、電源アダプターを正常に作動させることができる。
【０００３】
前述した公知の電源アダプターは、電源アダプター本体と変換プラグを組み立てた後、変換プラグが電源アダプター本体表面を突出しているため、その構造は、プラスチック成形の過程において成形難度が高く、製造コストも高い。
【考案の概要】
【考案が解決しようとする課題】
【０００４】
本考案の目的は、前述技術中の不足点を克服するために、製造が簡単でコストを削減できる電源アダプターを提供することにある。
【課題を解決するための手段】
【０００５】
上述の目的を達成するために、本考案の提供する電源アダプターは、アダプター本体及びアダプターヘッドを備える。
アダプター本体は、外殻と、複数の電子部品を装着した回路板と、回路板に電気的に接続し、しかも一端がアダプター本体に延伸する連接端子とを備える。外殻上には窪み形状の挿入空間を形成する。
アダプターヘッドは、分離可能状態で挿入空間内に配置し、それは、アダプター外殻と、アダプター外殻内に固着する装着板と、栓刃と、栓刃に電気的に接続する嵌着端子とを備える。アダプター外殻には栓刃挿入口とアダプターヘッド孔を備え、栓刃の一端は回転可能状態で装着板上に連接し、他の一端は栓刃挿入口内におさめ、回転可能状態で栓刃挿入口から突出する。連接端子はアダプターヘッド孔を通過し、嵌着端子と電気的に接続する。
【考案の効果】
【０００６】
前述したとおり、本考案の電源アダプターの組立時には、連接端子を対応する嵌着端子内に挿入させることにより、アダプターヘッドとアダプター本体を固定する他、栓刃と回路板間の電気的接続を確実にし、製造が簡単でコストを削減できる電源アダプターとなる。
【図面の簡単な説明】
【０００７】
【図１】本考案の電源アダプターについての立体組立図である。
【図２】図１に示した電源アダプターの立体分解図である。
【図３】図２に示した電源アダプターから上蓋を取り外した後の立体図である。
【図４】図２に示した電源アダプターについてのアダプター外殻の立体図である。
【図５】図２に示した電源アダプターについて嵌着端子の拡大図である。
【考案を実施するための形態】
【０００８】
本考案の技術内容、構造特徴、達成する目的及び効果を詳細するために、次に図面を組み合わせた実施例により説明を行う。
【０００９】
図１及び図２に示すとおり、本考案の電源アダプター１００は、アダプター本体１０及びアダプターヘッド２０とを備える。
前記アダプター本体１０は、外殻（未図示）と、複数の電子部品を装着した回路板１３と、回路板１３に電気的に接続し、しかも一端がアダプター本体１０に延伸する連接端子１５とを備える。
【００１０】
図２に示すとおり、具体的には、外殻は、上蓋１１と、上蓋１１と相互に嵌合する下蓋１２とを備える。前記上蓋１１の内部には内設室（未図示）を形成し、その上表面の前方部は下向きに窪み形状の挿入空間１１０を形成する。挿入空間１１０と内設室は互いに繋がる。回路板１３は下蓋１２上に固着し、内設室内に置かれる。回路板１３の前端には固定板１４を固定し、固定板１４上には二つの貫通孔１４０を穿設する。回路板１３には更に、二つの直立ハンダ片１６を配置し、前記連接端子１５は円柱状部材とし、後端に近い箇所に嵌合リング１５０を備え、嵌合リング１５０は貫通孔１４０上に嵌合固定される。連接端子１５の後端は固定板１４の後側に突出し、直立ハンダ片１６によって固定板１４に固定される。直立ハンダ片１６の一端は連接端子１５の後端にハンダ付けし、他の一端は回路板１３上にハンダ付けし、連接端子１５と回路板１３間は電気的に接続される。
【００１１】
図２、図４、図５に示すとおり、アダプターヘッド２０は、アダプター外殻２１と、アダプター外殻２１内に固着する装着板２２と、回転可能状態で装着板２２上に取り付けられる栓刃２３と、栓刃２３に電気的に接続する嵌着端子２４とを備える。
【００１２】
前記アダプター外殻２１は分離可能状態で挿入空間１１０内に嵌合され、アダプター外殻２１は、上面２１０と、前面２１１と、背面２１２とを備え、前記上面２１０上には、前面２１１に延伸する栓刃挿入口２１３を設ける。前記栓刃２３の一端は回転可能状態で装着板２２上に連接し、他の一端は栓刃挿入口２１３内に収められ、回転可能状態で栓刃挿入口２１３から突出する。前記背面２１２上には二つのアダプターヘッド孔２１４を穿設する。前記嵌着端子２４は、連接片２４１と、連接片２４１の両側エッジからそれぞれ上方向に延伸形成される延伸部２４５と、延伸部２４５の一方側エッジから外側に突出する弾性アーム２４３とを備え、前記延伸部２４５を繞設して嵌着部２４２を形成し、嵌着部２４２の後端には弾性挟持部２４４を形成する。嵌着部２４２には連接端子１５を挿設し、弾性アーム２４３の一端と栓刃２３とは弾力性をもって押圧するため、栓刃２３と嵌着端子２４は始終、電気的接続が維持される。
【００１３】
図２乃至図４に示すとおり、本考案の電源アダプター１００を組み立てる時は、先ず、連接端子１５を直立ハンダ片１６と固定板１４に通し、回路板１３上に装着する。この時、連接端子１５と回路板１３を電気的に接続する。続いて、回路板１３を下蓋１２上に取り付け、上蓋１１をアダプターの下蓋１２上に被嵌する。更に、嵌着端子２４と栓刃２３を装着板２２上に組み立てて、装着板２２をアダプターヘッド２０内に装着する。この時、嵌着端子２４と栓刃２３を電気的に接続する。最後に、アダプターヘッド２０をアダプターの上蓋１１内に配置する。連接端子１５は、アダプターヘッド孔２１４に通し、嵌着端子２４の嵌着部２４２内に挿入し、嵌着端子２４と電気的に接続する。嵌着端子２４と栓刃２３が電気的に接続し、連接端子１５と回路板１３が電気的に接続されることにより、栓刃２３と回路板１３は電気的に接続される。栓刃２３の回転過程において、栓刃２３と回路板１３は電気的接続を維持され、栓刃挿入口２１３の外側に回転する栓刃２３を外部電源に差し込むことで、通電使用が可能となる。連接端子１５を嵌着端子２４の嵌着部２４２内に挿入すると同時に、弾性挟持部２４４は連接端子１５を挟み込むため、連接端子１５と嵌着端子２４は更に確実に電気的に接続を行うことができる。
【００１４】
前述をまとめると、本考案の電源アダプター１００は、連接端子１５が対応する嵌着端子２４内に挿入されることにより、アダプターヘッド２０とアダプター本体１０を固定するだけでなく、栓刃２３と回路板１３間の電気的接続を確実にし、しかも製造が簡単でコストを削減できる電源アダプターである。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１００    電源アダプター
１０    アダプター本体
１１    上蓋
１１０    挿入空間
１２    下蓋
１３    回路板
１４    固定板
１４０    貫通孔
１５    連接端子
１５０    嵌合リング
１６    直立ハンダ片
２０    アダプターヘッド
２１    アダプター外殻
２１０    上面
２１１    前面
２１２    背面
２１３    栓刃挿入口
２１４    アダプターヘッド孔
２２    装着板
２３    栓刃
２４    嵌着端子
２４１    連接片
２４２    嵌着部
２４３    弾性アーム
２４４    弾性挟持部
２４５    延伸部
【図１】
0003165934.tif 000003
【図２】
0003165934.tif 000004
【図３】
0003165934.tif 000005
【図４】
0003165934.tif 000006
【図５】
0003165934.tif 000007